(57)【要約】【課題】本発明は各種電気機器に使用されるスピーカのスピーカ取付装置に関するものであり、取り付け、取り外しが容易で密閉性を確保したスピーカ取付装置を提供することを目的とするものである。【解決手段】本発明のスピーカ取付装置は、スピーカ１のフレーム１２の取付板４と係合するクリップ６の自由端と対峙する前記フレーム部分に破断可能部１２ａを設けたものであり、スピーカ１の取り外し時のみにクリップ６の操作が必要なことに着目し、スピーカ１の取り外し時に破断可能部１２ａを削除してスピーカ１を取り外すため、破断可能部１２ａをフレーム１２と一体としてこの部分を介しての後方からの音の回り込みは防止されて、音響特性の向上が図れるものである。【選択図】図１
2005184187.tif 000002
【特許請求の範囲】
【請求項１】
少なくとも一端が自由端であり、その近傍にスピーカ取付用孔の縁部と係合して係止する段部を設けたＵ字状の弾性を有するクリップと、前記スピーカ取付用孔に係止する爪部をスピーカのフレーム外周部内側に形成したスピーカ取付板の前記スピーカ取付用孔に係止して取り付けられるスピーカ取付装置であって、スピーカを前記スピーカ取付板の前記スピーカ取付用孔に装着したとき、前記クリップの自由端と対峙する前記フレーム部分に破断可能部を設けたスピーカ取付装置。
【請求項２】
フレームは樹脂成形により形成され、破断可能部が破断可能なようにフレームの他の部分より厚みが薄く形成されている請求項１に記載のスピーカ取付装置。
【請求項３】
フレームは樹脂成形により形成され、破断可能部の周縁が破断可能なようにフレームの他の部分より厚みが薄く形成されている請求項１に記載のスピーカ取付装置。
【請求項４】
フレームは樹脂成形により形成され、破断可能部の周縁部分の一部にヒンジ部を設け、その他の前記周縁部分の厚みを破断可能なようにフレームの他の部分の厚みより薄くした請求項１に記載のスピーカ取付装置。
【請求項５】
破断可能部が破断された後、この破断可能部の少なくとも一部がクリップの自由端を下方に押圧変形させ、スピーカ取付用孔の縁部と段部の係合を解除する請求項１乃至請求項４に記載のスピーカ取付装置。
【請求項６】
破断可能部の一部がクリップの自由端側に突出した突起部である請求項５に記載のスピーカ取付装置。
【請求項７】
Ｕ字状のクリップの内側と当接する当接部をフレームに設けた請求項１に記載のスピーカ取付装置。
【請求項８】
フレームに破断可能部を破断する押圧手段を前記破断可能部に連続して設けた請求項３に記載のスピーカ取付装置。
【発明の詳細な説明】
【技術分野】
【０００１】
本発明は車輛に塔載するスピーカに関し、ドアパネル等に容易にスピーカを取り付け、取り外すことができるスピーカ取付装置に関するものである。
【背景技術】
【０００２】
従来の技術を図５のスピーカと取付部との結合状態を示す断面図により説明する。
【０００３】
同図によると、１は内部構造は説明を省略するが外周に樹脂成形により形成されたフレーム２を有するスピーカであり、３はそのフレーム２の外周側の後方に設けられた爪部であり、６は同じく外周側の後方に設けられた一方が自由端となったクリップであり、取付板４に設けられたスピーカ取付用孔５の端部に爪部３を引掛け、前記クリップ６を爪３と反対側のスピーカ取付用孔５のクリップ挿入孔７の縁部にスナップにより弾性を持たせて自由端端部近傍の段部６ａを係合させて取付板４に取り付けられるものである。
【０００４】
２ａは蓋であり、取付板４のクリップ挿入孔７をスピーカ１の取付板４への装着後、前記フレーム２の開口部９をこの蓋２ａで塞ぐことで、スピーカ１の前方からスピーカ１の後方への前記クリップ挿入孔７を介しての雨滴の防止や、スピーカ１の後方から前方への音の回り込み防止を行うものである。
【０００５】
８はフレーム２の外周全周に施されたシール材であり、フレーム２と取付板４間の密着性を向上させるもので、蓋２ａと同様スピーカ１の後方から前方への音の回り込み防止の機能を有すると共に、防振材としても機能するものである。
【０００６】
なお、このシール材８はフレーム２と取付板の表面状態や材質によって必要とされない場合もある。
【０００７】
また、蓋２ａはフレーム２と別体のものとして説明したが、開閉自在とすることができれば、一体に樹脂成形により形成される場合もある。
【０００８】
なお、スピーカ１の取付板４からの取り外しは、フレーム２の開口部９を塞いでいる蓋２ａを取り外し、この開口部９を通じて取り外し治具（図示せず）でクリップ６の自由端を押下げ、クリップ挿入孔７の縁部とクリップ６の段部６ａとの係合を解除して、スピーカ１を取付面４より取り外すものである。
【０００９】
なお、このような構成の従来技術としては、特許文献１がある。
【特許文献１】特開２００２−１３５８７３号公報
【発明の開示】
【発明が解決しようとする課題】
【００１０】
しかしながら上記の従来の構成では、蓋２ａをフレーム２に取り付ける際、接着材を用いれば、蓋２ａの取り外しが困難となって、スピーカ１の取り外しが煩雑となり、フレーム２の開口部９との嵌め合いによる装着では、振動・衝撃等で外れてしまい信頼性に欠けるという課題を有していた。
【００１１】
なお、蓋２ａを開閉自在な形でフレーム２と一体成形したものについても嵌め合いによる装着であるために、振動・衝撃等で外れてしまい信頼性に欠けるという前述と同様の課題を有するものであった。
【００１２】
本発明は上記従来の問題点を解決するもので、スピーカ取付板に対して容易にスピーカを取り付け、取り外すことができ、かつ取付部とスピーカの間の密閉性が簡易な構成で確保できるスピーカ取付装置を提供することを目的とするものである。
【課題を解決するための手段】
【００１３】
上記課題を解決するために、本発明のスピーカ取付装置の請求項１に記載のものは、スピーカのフレームの取付板と係合するクリップの自由端と対峙する前記フレーム部分に破断可能部を設けたものであり、スピーカの取り外し時のみにクリップ操作が必要なことに着目し、スピーカの取り外し時に破断可能部を削除してスピーカを取り外すため、破断可能部はフレームと一体であってこの部分を介しての後方からの音の回り込みは防止されて、音響特性の向上が図れると共に信頼性も向上するものである。
【００１４】
本発明のスピーカ取付装置の請求項２に記載のものは、請求項１に記載のフレームを樹脂成形により形成し、破断可能部を破断可能なようにフレームの他の部分より厚みを薄く形成したものであり、容易に破断可能であると共に、薄くしたことで視認を容易とする場合もある。
【００１５】
本発明のスピーカ取付装置の請求項３に記載のものは、請求項１に記載のフレームを樹脂成形により形成するとともに、破断可能部の周縁を破断可能なようにフレームの他の部分より厚みを薄く形成したものであり、周縁を破断させることで破断部分が特定され、破断部分の処理や破断残部の処理が容易で、スピーカの取り外しが容易に行えるものである。なお、視認側の周縁部を薄く形成した場合には破断可能部の視認が容易となり、作業性の向上を図ることも可能となるものである。
【００１６】
本発明のスピーカ取付装置の請求項４に記載のものは、請求項１に記載のフレームを樹脂成形により形成するとともに、破断可能部の周縁部分の一部にヒンジ部を設け、その他の前記周縁部分の厚みを破断可能なようにフレームの他の部分の厚みより薄く形成したものであり、ヒンジ部により破断可能部を破断させても脱落することはなく、破断部分の処理を不要とすると共に、視認の容易性や破断部分が特定されることで、スピーカの取り外し作業工数の向上も図れるものである。
【００１７】
本発明のスピーカ取付装置の請求項５に記載のものは、請求項１乃至請求項４に記載のフレームの破断可能部が破断時に、この破断可能部の少なくとも一部でクリップの自由端を下方に押圧変形させ、スピーカ取付用孔の縁部と段部の係合を解除する構成としたものであり、破断可能部の破断作業とスピーカの取り外し作業を同一作業の中で行え、作業の効率化がより図れるものである。
【００１８】
本発明のスピーカ取付装置の請求項６に記載のものは、請求項５に記載の破断可能部の一部として、クリップの自由端側に向かう突起部を設けたものであり、この突起部によってスピーカの取り外し作業がより容易に行えるものである。
【００１９】
本発明のスピーカ取付装置の請求項７に記載のものは、請求項１に記載のスピーカ取付装置のＵ字状のクリップの内側に破断可能部の当接部が当接する構成としたものであり、前記クリップの外力による弾性変形でスピーカが外れることを抑制するものである。
【００２０】
本発明のスピーカ取付装置の請求項８に記載のものは、請求項３に記載のスピーカ取付装置において、破断可能部を破断する手段を前記破断可能部に連続して設けたものであり、スピーカの取り外しを極めて容易に行えるものである。
【発明の効果】
【００２１】
以上のように本発明は、フレームと一体に破断可能部を設け、この破断可能部を削除することでスピーカの取り外しが可能な構成としたことにより、蓋などの別部品を不要とすると共に、取り外し前の状態は、当該部分は破断可能部で完全に塞がれているので、スピーカ後方からの音の回り込みが防止でき、音質に優れたスピーカ取付装置の提供を可能とするものである。
【発明を実施するための最良の形態】
【００２２】
以下、本発明の一実施の形態について図１〜図４により説明する。なお、説明にあたっては従来技術と同一部分には同一番号を付し、説明を省略して説明する。
【００２３】
（実施の形態１）
以下本発明のスピーカ取付装置の一実施の形態について図１のスピーカと取付部との結合状態を示す側断面図により、主として請求項１〜請求項４について説明する。
【００２４】
同図により、説明すると、１２は樹脂成形により形成されたフレームであり、従来技術と同様に爪部３、外周側の後方に設けられた一方が自由端となったクリップ６がこのフレーム１２に一体に樹脂成形により形成されており、取付板４に設けられたスピーカ取付用孔５の端部に爪部３を引掛け、前記クリップ６を爪３と反対側のスピーカ取付用孔５のクリップ挿入孔７の縁部にスナップにより弾性を持たせて自由端端部近傍の段部６ａを係合させて取付板４に取り付けられる構成となっている。１２ａはこのクリップ６の自由端と対向する位置に形成された周囲を溝１２ｂで囲ってなる破断可能部である。
【００２５】
従って、このフレーム１２では従来技術のように開口部９は存在せず、この破断可能部１２ａが形成されているので、蓋２ａは本実施の形態では使用されていない。
【００２６】
以上のように構成された本実施の形態のスピーカ取付装置では、開口部９をなくしたことでスピーカ１の後方から前方への回り込みが、この開口部９を介して発生することは蓋２ａなしで阻止される。
【００２７】
また、スピーカ１を取り外す場合は、治具（図示せず）でこの破断可能部１２ａを破壊し（外力Ｃ’をこの破断可能部１２ａに加えることで、この溝に沿って破断されることになる。）、Ｕ字状のクリップ６の自由端を押下することで、自由端端部近傍の段部６ａと取付板４のクリップ挿入孔７の縁部との係合を解除し取り外すものである。
【００２８】
以上のように破断可能部１２ａを破断（破壊）することでスピーカの取り外しを行うため、この破断可能部１２ａを破壊しない間は、後方の音波の前方への回り込みや、防水が従来技術より、確実に行え、信頼性の高いスピーカ取付装置の提供を可能とするものである。
【００２９】
なお、上記本実施の形態では破断可能部１２ａを溝１２ｂに周囲を囲われた部分として説明したが、単に破断可能部１２ａにおいて治具でこの部分を破壊して、クリップ６の自由端を押下することが可能であればいいという場合は、この破断可能部１２ａ全体を他の部分より薄く、破断可能な薄肉部として形成しても良い。
【００３０】
また、本実施の形態において、周囲の溝部１２ｂの一部（例えば下辺）を溝よりも若干厚くすることで、ヒンジ部を形成し、溝部１２ｂの破断時に残部として残すことで、フレーム１２からのこの破断可能部の分離を回避することで、この破断可能部１２ａを取り外したスピーカと一体で容易に処理可能とすることもできる。
【００３１】
（実施の形態２）
図２は本発明の他の実施の形態の要部である破断可能部とクリップと取付板の関係を示す拡大断面図であり、（ａ）はスピーカが取付板に取り付けられた状態を示すものであり、（ｂ）はスピーカを取り外すための破断可能部の動きを説明するものであり、主として請求項５および請求項６について説明するものである。
【００３２】
同図によるとフレーム１２に設けられた破断可能部１２ａの上方にはＵ字状クリップ６の自由端に向かう突起部１２ｃを設けたものである。
【００３３】
以上の構成とすることで、外部からの力Ｆにより破断可能部１２ａを破断させた時、同時に突起部１２ｃで前記Ｕ字状クリップ６の自由端を押下して、スピーカ１の取り外しを破断可能部１２ａの破断と同時に行うものである。
【００３４】
なお、実施の形態１で説明したヒンジ部と併用することで、破断可能部の破断位置の精度が向上し、より確実に破断・取外し作業が行えることになる。
【００３５】
（実施の形態３）
図３は本発明の他の実施の形態の要部である破断可能部とクリップと取付板の関係を示す拡大断面図であり、（ａ）はスピーカが取付板に取り付けられた状態を示すものであり、（ｂ）はスピーカを取り外すための破断可能部の動きを説明するものであり、主として請求項７について説明するものである。
【００３６】
同図によると、１２ｄは破断可能部１２ａに設けられたクリップ６の自由端の内側と当接する当接部であり、スピーカが取付板４に装着された後、この部分を自由端に押し込むかまたは、装着時にこの当接状態に抗してクリップ６を圧入するかして図３（ａ）の状態が形成されている。
【００３７】
従って、スピーカは外力等によっても、この当接部１２ｄをクリップ６の自由端側内側と当接させている限り、容易に外れることを防止できるものである。
【００３８】
図３（ｂ）は破断可能部１２ａが破断された状態を示しており、クリップ６の自由端が破断可能部１２ａに妨害されることなく、押下されてスピーカの取外しが容易に行える状態となっている。
【００３９】
（実施の形態４）
図４は本発明の他の実施の形態の要部である破断可能部とクリップと取付板の関係を示す拡大断面図であり、（ａ）はスピーカが取付板に取り付けられた状態を示すものであり、（ｂ）はスピーカを取り外すための破断可能部の動きを説明するものであり、主として請求項８について説明するものである。
【００４０】
同図によると、１２ｅは破断可能部１２ａの周囲を囲むように設けられた溝部であり、より望ましくは、この溝部１２ｅの下辺は他の溝部１２ｅより若干浅く形成して、ヒンジ部を形成しておくことである。
【００４１】
１２ｆは前記破断可能部１２ａの上辺に延長して設けられた前記破断可能部１２ａの引き剥がしを行う手段であるてこ部であり、カギ状に設けることで、先端を押下してカギ状の他端側に力を加え、破断可能部１２ａを上方から下方に向けて破断していくものであり、専用の治具を用いなくても容易に破断させられると共に、破断可能部１２ａは分離されないので、取り外したスピーカと一体に処理できるものである。
【産業上の利用可能性】
【００４２】
以上のように本発明は、フレームと一体に破断可能部を設け、この破断可能部を削除することでスピーカの取り外しが可能な構成としたことにより、蓋などの別部品を不要とすると共に、取り外し前の状態は、当該部分は破断可能部で完全に塞がれているので、スピーカ後方からの音の回り込みが防止でき、音質に優れたスピーカ取付装置の提供を可能とするものである。
【図面の簡単な説明】
【００４３】
【図１】本発明のスピーカ取付装置の一実施の形態のスピーカと取付部との結合状態を示す側断面図
【図２】（ａ）同他の実施の形態の要部である破断可能部とクリップと取付板の関係を示す要部拡大断面図、（ｂ）同スピーカを取り外すための破断可能部の動きを説明する要部拡大断面図
【図３】（ａ）同他の実施の形態の要部である破断可能部とクリップと取付板の関係を示す要部拡大断面図、（ｂ）同スピーカを取り外すための破断可能部の動きを説明する要部拡大断面図
【図４】（ａ）同他の実施の形態の要部である破断可能部とクリップと取付板の関係を示す要部拡大断面図、（ｂ）同スピーカを取り外すための破断可能部の動きを説明する要部拡大断面図
【図５】従来のスピーカ取付装置のスピーカと取付部との結合状態を示す側断面図
【符号の説明】
【００４４】
１  スピーカ
３  爪部
４  取付板
５  スピーカ取付用孔
６  クリップ
６ａ  段部
７  クリップ挿入孔
１２  フレーム
１２ａ  破断可能部
１２ｂ  溝部
１２ｃ  突起部
１２ｄ  当接部
１２ｅ  溝部
１２ｆ  てこ部
【図１】
2005184187.tif 000003
【図２】
2005184187.tif 000004
【図３】
2005184187.tif 000005
【図４】
2005184187.tif 000006
【図５】
2005184187.tif 000007